(57)【要約】【課題】週間または月間に通常日と異なる勤務時間帯の特日がある勤務体系に対応できるタイムレコーダを提供する。【解決手段】タイムレコーダの制御部に、週間または月間の任意の日を他の就業日とは異なる特日として指定する手段と、前記特日に適用される一組または複数組の特日始業時刻及び特日終業時刻を設定する手段とを備え、特日には設定された特日始業時刻及び特日終業時刻が適用されるように構成する。特日には特日勤務時間帯を適用して遅刻や早退の判断をするので、特日に遅刻や早退のマークが誤印字されることがなくなり、特日を含む勤務条件に則した印字結果が得られる。【選択図】図２
2005322003.tif 000002
【特許請求の範囲】
【請求項１】
カード挿入スロットへ挿入されたタイムカードへ、カード挿入時の時刻を印字するタイムレコーダであって、週間または月間の任意の日を休日に指定する手段と、休日以外の日に適用される一組または複数組の始業時刻及び終業時刻を設定する手段と、設定された始業時刻及び終業時刻に基づき、挿入されたタイムカードに対する遅刻または早退を判断し、遅刻または早退の場合は挿入時刻とともに遅刻または早退のマークを印字する印字制御手段を備えたタイムレコーダにおいて、
週間または月間の任意の日を他の就業日とは異なる特日として指定する手段と、前記特日に適用される一組または複数組の特日始業時刻及び特日終業時刻を設定する手段とを備え、特日には設定された特日始業時刻及び特日終業時刻に基づいて遅刻または早退を判断するように構成したことを特徴とするタイムレコーダ。
【請求項２】
上記タイムカードへの打刻データ及び遅刻または早退のデータを記憶部に保存する集計機構を備えた請求項１記載のタイムレコーダ。
【発明の詳細な説明】
【技術分野】
【０００１】
この発明は、タイムレコーダに関するものであり、特に、曜日によって勤務時間帯が異なる勤務形態に対応できるようにしたタイムレコーダに関するものである。
【背景技術】
【０００２】
複数の勤務時間帯からなるシフト勤務制に対応したタイムレコーダは既に広く知られている（例えば、特許文献１など）。この種のタイムレコーダにおいて、シフト設定数の多いものでは数十種類もの勤務時間帯を設定できるものがあり、一般社員やパートタイマー、アルバイトなど勤務時間帯が様々な数多くの従業者の勤務管理に対応できるように構成されている。
【０００３】
勤務時間帯を設定するに際は、シフト番号の選択、休日設定及び始業時刻と終業時刻の設定、残業開始時刻の設定など（その他に、休憩開始及び休憩終了時刻の設定などがある場合もある）を行う。個々のタイムカード番号とシフト番号を関連付けたデータをタイムレコーダに書き込んでおくことにより、シフト設定に応じて遅刻や早退などが判断され、タイムカードに打刻する際に、遅刻マークや早退マーク、或いは休日出勤マークなどが印字される。
【０００４】
しかしながら、従来のシフト設定機能は、就業日のなかの或る特定の日が他の日と就業時間帯が異なる勤務体系については対応していない。例えば、水曜日を除く週日の勤務時間が08:00〜17:00であって、特日である水曜日の勤務時間は09:00〜13:00であるような場合があり、このように週の特定の曜日だけ勤務時間が異なる勤務体系は、特に欧州では一般的になっているが、上記の例の場合、タイムレコーダの勤務時間設定は08:30〜17:00とせざるを得ず、特日に規定どおり出勤及び退勤しても遅刻や早退が記録されるという不都合がある。
【０００５】
このような週単位或いは月単位で変則勤務の日がある場合に対応できるようにした技術としては、特許文献２記載のタイムレコーダシステムが知られている。このタイムレコーダシステムは、曜日毎の勤務時間体系マーク記入欄を設けたタイムカードと、勤務時間体系マークを読取る機能を備えたタイムレコーダとからなり、タイムカードに予め曜日毎の勤務時間体系マークを記入しておくことにより、タイムレコーダがタイムカードに記載されているマークに該当する勤務時間体系（シフト勤務）に基づいて遅刻や早退を判断して集計処理を行うようにしている。
【特許文献１】特開H08-190645号公報
【特許文献２】特開H04-10093号公報
【発明の開示】
【発明が解決しようとする課題】
【０００６】
時間集計機能を備えた従来一般的なタイムレコーダにおいては、週間勤務スケジュール、或いは月間勤務スケジュールの設定において或る特日だけ異なった勤務時間帯を設定できないことは前述したとおりである。タイムレコーダの集計データをコンピュータに取り込み、勤務時間集計処理プログラムでデータ処理する場合は、コンピュータ上で変則勤務日における遅刻や早退の修正を自動的に行うこともできるが、タイムレコーダ側では、勤務時間の短い特日に就業規定に従って出勤及び退社したとしても、その日の打刻欄に遅刻や早退のマークが印刷されることは避けられないという問題がある。
【０００７】
一方、タイムカードに予め曜日毎の勤務時間体系マークを記入し、タイムレコーダにこのマークを読取らせて、遅刻や早退の判断をさせるようにした特許文献２記載のタイムレコーダシステムは、日毎に勤務がシフトされるような場合にも対応できるが、特別なタイムカードを使用して、予め曜日毎の勤務時間体系マークを記入する手間がかかり、マーク記入のミスが生じるおそれもある。
【０００８】
そこで、タイムカードに曜日毎のマークを記入する手間などを必要とせず、週間または月間に通常の就業日とは勤務時間帯が異なる特日がある勤務体系に対応できるタイムレコーダを提供するために解決すべき技術的課題が生じてくるのであり、本発明は上記課題を解決することを目的とする。
【課題を解決するための手段】
【０００９】
この発明は、上記目的を達成するために提案するものであり、カード挿入スロットへ挿入されたタイムカードへ、カード挿入時の時刻を印字するタイムレコーダであって、週間または月間の任意の日を休日に指定する手段と、休日以外の日に適用される一組または複数組の始業時刻及び終業時刻を設定する手段と、設定された始業時刻及び終業時刻に基づき、挿入されたタイムカードに対する遅刻または早退を判断し、遅刻または早退の場合は挿入時刻とともに遅刻または早退のマークを印字する印字制御手段を備えたタイムレコーダにおいて、週間または月間の任意の日を他の就業日とは異なる特日として指定する手段と、前記特日に適用される一組または複数組の特日始業時刻及び特日終業時刻を設定する手段とを備え、特日には設定された特日始業時刻及び特日終業時刻に基づいて遅刻または早退を判断するように構成したことを特徴とするタイムレコーダを提供するものである。
【００１０】
また、上記タイムカードへの打刻データ及び遅刻または早退のデータを記憶部に保存する集計機構を備えたタイムレコーダを提供するものである。
【発明の効果】
【００１１】
本発明のタイムレコーダは、週または月の就業日の中で、他の就業日と勤務時間帯が異なる日を特日として指定し、特日の勤務時間帯を設定しておくことにより、特日には特日勤務時間帯を適用して遅刻や早退の判断をするので、特日に遅刻や早退のマークが誤印字されることがなくなり、特日を含む勤務条件に則した印字結果が得られる。
【発明を実施するための最良の形態】
【００１２】
タイムレコーダの制御部に、週間または月間の任意の日を他の就業日とは異なる特日として指定する手段と、前記特日に適用される一組または複数組の特日始業時刻及び特日終業時刻を設定する手段とを備え、特日には設定された特日始業時刻及び特日終業時刻に基づいて遅刻または早退を判断して打刻するように構成する。タイムレコーダを設定モードにして休日と特日を設定し、休日と特日とに対してそれぞれ別の始業時刻及び終業時刻を設定することにより、特日には特日始業時刻及び特日終業時刻が適用されて打刻及び遅刻や早退のマーク印字が行われる。
【実施例１】
【００１３】
先ず、公知のタイムレコーダの構成及び動作を説明する。図1はタイムレコーダ1の構成の一例を示し、2はCPU、3はタイムレコーダ制御プログラムを格納したROM、4はタイムカード毎の出勤・退勤時刻データなどを格納するRAMである。CPU 2は、時計IC 5から時刻情報を読み込み、表示部駆動回路11を駆動してLED表示部12に現在時刻や曜日、日付などを表示する。CPU 2には、マイクロスイッチ或いはフォトインタラプタなどのカード挿入検知センサ6、タイムカードの送り量を検出するロータリエンコーダなどのカード位置検出センサ7と、フォトインタラプタまたは反射形フォトセンサによるカードID読取りセンサ8、及び、設定モードを選択するための複数のMODEキー（図示せず）からなる機能キーブロック9、時間や曜日の値を増減するためのUPキーとDOWNキー、設定ステップを移動させるためのFORWARDキーとBACKWARDキー、CLEARキーやSETキーなどの複数の設定キー（図示せず）からなる設定キーブロック10が接続されている。
【００１４】
タイムレコーダ1のカード挿入スロットにタイムカードが挿入されると、カード挿入検知センサ6がオンし、このオン信号によってCPU 2はモータ駆動回路13を制御してカード送りモータ14を駆動し、タイムカードを所定の位置まで引込む。タイムカードの右端または左端近傍には、複数のパンチ穴またはバーコードが縦一列に配列されていて、この複数のパンチ穴またはバーコードによる複数ビットの信号によって一枚毎に異なるカードIDコードを表している。カードID読取りセンサ8はカード位置検出センサ7と連携動作し、パンチ穴付タイムカードの引込み時に、タイムカードのパンチ穴の通過光或いはバーコード部分の反射光によって検出されるビット情報からカードIDコードを取得する。
【００１５】
タイムカードを所定の位置まで引込み、カードIDコードを読取った後に、CPU 2はカード送りモータ14を逆転駆動してタイムレコーダを上昇させ、カード位置検出センサ7の出力信号を監視してタイムカードの当日の日付の欄が印字ヘッド16の高さ位置に達したときにカード送りモータ14を停止し、印字駆動回路15を介して印字ヘッド16を駆動して現在時刻を当日の出勤欄または退出欄へ印字する。これと同時にその時刻データをカードIDコードへ関連付けてRAM 4に書込む。
【００１６】
次に、タイムレコーダ1の勤務時間帯設定について説明する。従来のタイムレコーダは、曜日ごとに異なる勤務時間帯設定はできなかったが、本発明のタイムレコーダは、曜日ごとに異なる勤務時間帯設定を可能とした設定プログラムをROM 3に格納していることを特徴としている。
【００１７】
以下、勤務時間帯設定の手順を説明する。先ず、設定操作許可コードが記録されているキーカードをタイムカード挿入スロットへ挿入すると、キーカードが引き込まれてカードID読取りセンサ8により設定操作許可コードが読取られて設定モードに入り、LED表示部12に設定モードのシンボルマークが表示される。
【００１８】
次に、機能キーブロック9の任意のMODEキーを押して設定モードを選択する。例えば、MODE 1キーは締日や集計モードの設定、MODE 2キーは年月日及び時刻の設定、MODE 3キーは休日設定や勤務時間帯設定となっており、ここではMODE 3キーを押してMODE 3に入る。
【００１９】
図２はMODE 3の設定フローチャートである。MODE 3は、休日設定ステップ01で開始する。ここでは設定キーブロック10のIN1、OUT1、IN2、OUT2、IN3、OUT3及び＊の七個のキーが七曜に対応しており、これらのボタンを押せばその曜日が休日に設定され、再びボタンを押せば休日設定が解除される。例えば、IN1と＊のキーを押せば日曜と土曜が休日に設定され、日曜(SUN)と土曜(SAT)の表示部が点灯する。休日設定後にFORWARDキーを押すと、次の特日（Special Day）設定ステップ02に進む。
【００２０】
ここでは、休日設定と同様に、IN1、OUT1、IN2、OUT2、IN3、OUT3及び＊の七個のキーで曜日を選択する。例えば、OUT3キーを押せば、金曜が特日に設定され、金曜は他の週日とは異なる時間設定が適用されることになる。
【００２１】
特日設定後にFORWARDキーを押すと、次の日付変更時刻設定ステップ03に進む。ここでは、UPキーを一回押せば、日付変更時刻が一時間進み、DOWN キーを一回押せば、日付変更時刻が一時間戻る。
【００２２】
日付変更時刻設定後にFORWARDキーを押して、次の始業時刻IN1登録ステップ04に進み、UPキー或いはDOWNキーを操作して時設定を行い、FORWARDキーを押して分設定モードに移り、UPキー或いはDOWNキーを操作して分設定を行い、始業時刻IN1設定完了後にFORWARDキーを押して退出時刻OUT1登録ステップ05に進む。
【００２３】
以下、始業時刻IN1登録ステップ04と同様なキー操作によって、OUT1時刻登録を行い、同様の手順で順番にIN2、OUT2、IN3、OUT3の各ステップ06, 07, 08, 09で時刻設定を行う。そして、次に残業開始時刻登録ステップ10で残業開始時刻を設定する。
【００２４】
残業開始時刻登録後にFORWARDキーを押すと、特日の始業時刻IN1登録ステップ11に進み、以下、前述した週日のIN1、OUT1、IN2、OUT2、IN3、OUT3設定の手順と同様にして、特日のIN1、OUT1、IN2、OUT2、IN3、OUT3の各ステップ11, 12, 13, 14, 15, 16で時刻設定を行い、特日残業開始時刻登録ステップ17で特日残業開始時刻を設定する。
【００２５】
また、欧州向けの仕様では、以上の設定項目に加えてサマータイムの開始日時と終了日時の設定ステップが加えられる。全ての設定が完了した後に、SETキーを押せば、変更した設定データが保存される。尚、設定しない項目や設定を変更しない項目ではFORWARDキーを押すことによりそのステップがスキップされることは言うまでもない。以下の表1は勤務設定例である。
【表１】
2005322003.tif 000003
【００２６】
以上説明したように、例えば、IN1、OUT1、IN2、OUT2、IN3、OUT3からなる一組の勤務時刻設定を、二組設定できるようにし、週日と特日とにそれぞれの勤務時刻設定が適用されるようにしたので、週日と異なる勤務時間帯の日を含む勤務体系においても、遅刻や早退が誤って記録されることがなくなる。
【００２７】
尚、この発明は上記の実施形態に限定するものではなく、この発明の技術的範囲内において種々の改変が可能であり、この発明がそれらの改変されたものに及ぶことは当然である。
【図面の簡単な説明】
【００２８】
【図１】タイムレコーダのブロック図。
【図２】本発明のタイムレコーダの勤務時間帯設定のフローチャート。
【符号の説明】
【００２９】
1      タイムレコーダ
【図１】
2005322003.tif 000004
【図２】
2005322003.tif 000005